(57)【要約】 【課題】様々な印刷後加工機に対応したＪＤＦデータを自動的に生成するソフトウェアは、通常、ソースコードの規模が大きくなりソフトウェアの保守性が低い。また、対応する印刷後加工機を増やすためには、プログラムの修正が必要となるため、ソフトウェアの拡張性が低い。【解決手段】印刷後加工機の設定情報を含むＪＤＦデータを抽象化したデータを編集する編集手段と、印刷後加工機の設定情報を含むＪＤＦデータを抽象化したデータをＸＳＬＴデータによりＪＤＦデータへ変換する手段を持つことを特徴とする印刷システム。【選択図】図５
2017162127.tif 000002
【特許請求の範囲】
【請求項１】
第一の印刷後加工の設定情報を含むＸＭＬデータを編集し、編集後の第二の印刷後加工の設定情報を含むＸＭＬデータを出力する編集手段（Ｓ５０２）と、
印刷後加工の設定情報を含むＸＭＬデータを、個々の印刷後加工機別の変換ルールに従って印刷後加工機固有の機器設定情報を含むデータへ変換する変換手段（Ｓ５０３）
を持つことを特徴とする印刷システム。
【請求項２】
前記印刷後加工機固有の機器設定情報を含むデータは、ＪＤＦデータであることを特徴とする請求項１に記載の印刷システム。
【請求項３】
前記個々の印刷後加工機別の変換ルールは、ＸＳＬＴデータであることを特徴とする請求項１に記載の印刷システム。
【請求項４】
前記編集手段（Ｓ５０２）は、第一の印刷後加工の設定情報を含むＸＭＬデータと第二の印刷後加工の設定情報を含むＸＭＬデータを合成し、第一の印刷後加工の設定情報と第二の印刷後加工の設定情報を含む第三の印刷後加工の設定情報を含むＸＭＬデータを生成する手段を有することを特徴とする請求項１に記載の印刷システム。
【発明の詳細な説明】
【技術分野】
【０００１】
本発明は、印刷後加工機の設定情報であるＪＤＦデータの生成技術に関する。
【背景技術】
【０００２】
＜印刷業務全体の流れと本発明の位置づけ＞
顧客からの注文を受けて必要な印刷を行い、印刷物を顧客へ渡すことで対価を受け取る、いわゆる商業印刷の業務は、大まかに次のような流れとなっている。
（１）．顧客からの注文の受け付ける受注業務
（２）．印刷前工程と呼ばれる、印刷データの作成業務
（３）．印刷を行う印刷工程業務
（４）．印刷後工程と呼ばれる、印刷物の加工業務
本発明は、（４）印刷後工程の効率化を行うものであり、特に、印刷後加工機の設定作業を効率化するものである。
【０００３】
＜ＪＤＦについて＞
印刷業務の、特に生産工程には、前記の通り印刷前工程、印刷工程、印刷後工程があり、従来は、各工程における機器の設定をオペレーターが手動で行っていた。しかし、作業時間がかかる、設定ミスを起こしやすいとの課題から、システムによる自動化が望まれていた。
【０００４】
ＪＤＦ（Ｊｏｂ  Ｄｅｆｉｎｉｔｉｏｎ  Ｆｏｒｍａｔ）は、このような課題に対応するために、国際標準化団体ＣＩＰ４によって策定された、ＸＭＬベースのシステム間の情報交換のための標準データフォーマットである。ＪＤＦは、印刷機や印刷後加工機の設定情報を持つことができるため、例えば、印刷後加工の工程においては、印刷後加工機の設定情報をＪＤＦを使って行うことで、設定の手間やミスを減らすことが期待できる。
【０００５】
＜ＪＤＦの利用における課題＞
ＪＤＦデータを印刷後加工機の設定に用いるためには、印刷ワークフローシステム、もしくはそのサブシステムが、自身が保持している印刷後加工工程の情報を基に、ＪＤＦデータを自動で生成できる必要がある。ＪＤＦデータをシステムで自動生成するには、どんな印刷後加工工程にも共通な情報をベースデータとして持ち、毎回の印刷後加工工程に合わせてベースデータを編集し、ＪＤＦデータとして出力するのが一般的である。
【０００６】
しかし、ＪＤＦは標準データフォーマットとは言え、それを解釈する印刷後加工機メーカーや印刷後加工機毎に方言ができてしまっており、解釈が異なるのが現状である。つまり、１つの印刷後加工の設定情報を含むＪＤＦデータを作成したとしても、ある印刷後加工機では有効であるが、別のある印刷後加工機では無効である、といったことが起こり得る。
【０００７】
そのため、様々な印刷後加工機向けのＪＤＦデータを生成するためには、個々の印刷後加工機メーカーや印刷後加工機向けのベースデータと、ＪＤＦデータ生成ロジックが必要となり、これを実装するソフトウェアは保守性が低くなってしまうといった課題が存在する。
【０００８】
＜従来技術＞
上記の課題に対して、特許文献１では、ある機器向けのＪＤＦデータから別の機器向けのＪＤＦデータを生成する機能を持つことで、上記課題の一部に対応している。
【０００９】
しかし、この方法でも機器別のＪＤＦ生成ロジックは必要となり、課題を十分に解決できているとは言えない。
【００１０】
また、特許文献２では、機器の能力情報を機器から取得し、機器を動かす前にＪＤＦデータがその機器で有効（処理可能）か無効かを判定し、無効であった場合はジョブをキャンセルすることを行っているが、上記課題には対応できていない。
【先行技術文献】
【特許文献】
【００１１】
【特許文献１】特開２００７−１５６６７１号公報
【特許文献２】特開２０１０−１１１１００号公報
【発明の概要】
【発明が解決しようとする課題】
【００１２】
様々な印刷後加工機に対応したＪＤＦデータを自動的に生成するソフトウェアは、通常、ソースコードの規模が大きくなりソフトウェアの保守性が低い。また、対応する印刷後加工機を増やすためには、プログラムの修正が必要となるため、ソフトウェアの拡張性が低い。上記２点が、発明が解決しようとする課題である。
【課題を解決するための手段】
【００１３】
印刷後加工機の設定情報を含むＪＤＦデータを抽象化したデータを定義する。このデータは、どの印刷後加工機にも依存しない抽象度の高い表現で印刷後加工機の設定情報を記述できる。また、このデータは国際標準化団体Ｗ３Ｃが策定するＸＭＬに準拠する。
【００１４】
本明細書では、上記印刷後加工機の設定情報を含むＸＭＬデータを、ＡＪＤＦ（ＡｂｓｔｒａｃｔＪＤＦ）データと呼ぶ。
【００１５】
課題を解決するための手段は、
ＡＪＤＦデータを編集し、編集後のＡＪＤＦデータを出力することができる編集手段と、ＡＪＤＦデータをＸＳＬＴデータによりＪＤＦデータへ変換する手段を持つことを特徴とする、印刷後加工機の設定情報を含むＡＪＤＦデータを扱う情報処理方法を提供することである。
【００１６】
ここで、ＸＳＬＴ（Ｅｘｔｅｎｓｉｂｌｅ  Ｓｔｙｌｅｓｈｅｅｔ  Ｌａｎｇｕａｇｅ  Ｔｒａｎｓｆｏｒｍａｔｉｏｎｓ）とは、Ｗ３Ｃにより標準化されたＸＭＬデータの変換ルールを記述する言語仕様である。ＸＭＬデータとＸＳＬＴデータを入力として、ＸＳＬＴデータの記述内容に従って、ＸＭＬデータを変換を行うプログラムは公知技術として広く使われている。
【発明の効果】
【００１７】
本発明に係る印刷システムによれば、印刷後加工機メーカーや印刷後加工機毎のベースデータを用意しなくて済み、また、印刷後加工機メーカーや印刷後加工機毎のＪＤＦデータ生成ロジックを組み込む必要がないため、ソフトウェアの保守性が向上する。さらに、対応する印刷後加工機メーカーや印刷後加工機が増えても、プログラムではなくＸＳＬＴデータの追加で対応できるため、ソフトウェアの拡張性が向上する。
【図面の簡単な説明】
【００１８】
【図１】コンピュータ装置の構成の一例を示すブロック図
【図２】本実施例のアプリケーションの構成を示す概念図
【図３】ＡＪＤＦのデータ構造の一例
【図４】本実施例のアプリケーションが持つ機能一覧
【図５】本実施例のアプリケーションの基本動作を表したフローチャート
【図６】三方断裁の設定情報を持つＡＪＤＦデータの一例
【図７】ＡＪＤＦデータをＪＤＦデータに変換するためのＸＳＬＴデータの例
【図８】図６（ｂ）のＡＪＤＦデータを、図７のＸＳＬＴデータで変換を行った結果得られるＪＤＦデータ
【図９】ＡＪＤＦデータをＪＤＦデータに変換するためのＸＳＬＴデータの例
【図１０】図６（ｂ）のＡＪＤＦデータを、図９のＸＳＬＴデータで変換を行った結果得られるＪＤＦデータ
【図１１】丁合いとくるみ製本と三方断裁の３つの印刷後加工の設定情報を含む１つのＪＤＦデータの生成の流れを示した概念図
【図１２】本実施例における印刷システムの一例を示す図
【発明を実施するための形態】
【００１９】
以下、本発明を実施するための最良の形態について図面を用いて説明する。
【００２０】
［実施例］
＜印刷システム構成＞
図１２は本実施例における印刷システムの一例を示す図である。
【００２１】
１２０１は、本実施例のアプリケーションが動作するワークフローサーバーである。１２０２は、印刷所のオペレーターが操作するオペレーターＰＣである。１２０３は、印刷機である。１２０４は、印刷後加工機である。ワークフローサーバー１２０１、オペレーターＰＣ１２０２、印刷機１２０３、印刷後加工機１２０４は、互いにネットワーク１２０５を介して通信を行うことができる。
【００２２】
＜コンピュータ構成＞
図１は本実施例のアプリケーションを実行するワークフローサーバー１２０１の構成の一例を示すブロック図である。
【００２３】
１０１はＲＡＭ１０２に格納されている制御プログラムに従って本装置全体の制御を行うＣＰＵである。１０２はＣＰＵ１０１が実行するプログラムや、文書画像等のデータを格納するＲＡＭ等の内部記憶部である。１０３はＣＰＵ１０１の制御の下にネットワークとの接続を行なってデータ等を送受信するネットワークインタフェースである。１０４はデータを保存する磁気ディスク等の外部記憶装置である。１０５はディスプレイ、１０６はキーボード、１０７はマウス等のポインティングデバイスである。
【００２４】
次に、図１で示すワークフローサーバー１２０１の構成にしたがって、後述する本実施例のアプリケーションがどのように動作するかを説明する。ＲＡＭ１０２に格納されているアプリケーションのプログラムは、所定の動作を行うために、次のような各動作を行う。ＲＡＭ１０２に格納されているＯＳ（Ｏｐｅｒａｔｉｎｇ Ｓｙｓｔｅｍ）の機能を必要に応じて使用する。
【００２５】
ＲＡＭ１０２に一時記憶する内部データの内容の読み書きを行う。ネットワークインタフェース１０３を通じて別のコンピュータ上にデータがある場合など、必要に応じてデータの送受信を行う。外部記憶装置１０４上でデータの読み書きを行う。ディスプレイ１０５にユーザーインタフェースや処理結果等の視覚情報を表示する。キーボード１０６やポインティングデバイス１０７からユーザーの入力を受け付ける。
【００２６】
以下、本実施例のアプリケーションの動作を説明するにあたり、上記で説明した個々のデバイスの動作については省略する。
【００２７】
＜アプリケーション構成＞
図２はワークフローサーバー１２０１で実行される、本実施例のアプリケーションの構成を示す概念図である。
【００２８】
２０１は、ユーザーからキーボード１０６やポインティングデバイス１０７経由で、または外部システムからネットワークインタフェース１０３経由で、ＡＪＤＦデータを受け付ける、ＡＪＤＦデータ入力部である。２０２は、ユーザーからキーボード１０６やポインティングデバイス１０７経由で、または外部システムからネットワークインタフェース１０３経由で指示を受け、ＡＪＤＦデータを編集する、ＡＪＤＦデータ編集部である。２０３は、ユーザーからキーボード１０６やポインティングデバイス１０７経由で、または外部システムからネットワークインタフェース１０３経由で指示を受け、ＡＪＤＦデータをＪＤＦデータへ変換する、ＡＪＤＦデータ変換部である。
【００２９】
図１２の印刷システムにおいて、このアプリケーションがどのように使われるかの一例を説明する。
【００３０】
印刷所のオペレーターは、オペレーターＰＣ１２０２を使って、ネットワーク１２０５経由でアプリケーションにアクセスし、ＡＪＤＦデータ編集部やＡＪＤＦデータ変換部の持つ機能を利用する。その際、入力となるＡＪＤＦデータは、アプリケーションのＡＪＤＦ入力部２０１から入力される。
【００３１】
次に、入力されたＡＪＤＦデータは、編集の場合は、ＡＪＤＦデータ編集部２０２で編集され、編集後のＡＪＤＦデータがオペレーターＰＣ１２０２へネットワーク１２０５経由で返される。また、変換の場合は、ＡＪＤＦデータ変換部２０３でＪＤＦデータへ変換され、変換後のＪＤＦデータがオペレーターＰＣ１２０２へネットワーク１２０５経由で返される。印刷所のオペレーターは、このようにして得られたＪＤＦデータを、印刷後加工機１２０４に投入することで、自動で印刷後加工機の設定をすることができる。ＡＪＤＦデータ編集部２０２と、ＡＪＤＦデータ変換部の持つ機能については、以降の説明のなかで詳しく述べる。
【００３２】
＜ＡＪＤＦのデータ構造＞
ＡＪＤＦデータは、印刷後加工機の設定情報を、さまざまなＪＤＦデータの解釈方法を持つ個々の印刷後加工機に依存しない、抽象的な情報として保持するＸＭＬベースのデータである。
【００３３】
図３はＡＪＤＦのデータ構造の一例として、三方断裁の設定情報を持つデータ構造である。
【００３４】
ＡＪＤＦデータは、ＡＪＤＦ要素３０１を最上位階層とし、その下位にＰＲＯＰＥＲＴＹ要素３０２とＤＡＴＡ要素３０３を持つ。ＰＲＯＰＥＲＴＹ要素３０２は、そのＡＪＤＦデータそのものの情報として、データフォーマットのバージョン情報などを持つ。ＤＡＴＡ要素３０３は、さらに下位に印刷後加工機の設定情報として、ＢＡＳＩＣ＿ＩＮＦＯ要素３０４とＴＲＩＭＭＩＮＧ要素３０５を持つ。
【００３５】
ＢＡＳＩＣ＿ＩＮＦＯ要素３０４は、加工種別に依存しない情報を持つ。加工種別に依存しない情報とは、例えば、ＪＤＦデータとなったときの識別用のＩＤ（ＪｏｂＵｎｉｑｕｅＩＤ属性）や、デバイスのＩＤ情報（ＤｅｖｉｃｅＩＤ属性）などである。また、ＢＡＳＩＣ＿ＩＮＦＯ要素３０４は、ＢＡＳＩＣ＿ＩＮＦＯ要素３０４に続く要素がどの加工種別のものなのかを示す情報（ＦｉｎｉｓｈｉｎｇＴｙｐｅ属性）も持つことができる。
【００３６】
ＴＲＩＭＭＩＮＧ要素３０５は、さらに下位に三方断裁に関する設定情報として、ＩＮＰＵＴ＿ＤＡＴＡ要素３０６とＯＵＴＰＵＴ＿ＤＡＴＡ要素３０７を持つ。ＩＮＰＵＴ＿ＤＡＴＡ要素３０６は、三方断裁前の印刷物の幅（ＳｉｚｅＸ属性）、高さ（ＳｉｚｅＹ属性）、厚み（ＳｉｚｅＺ属性）を持つ。ＯＵＴＰＵＴ＿ＤＡＴＡ要素３０７は、三方断裁後の印刷物の幅（ＳｉｚｅＸ属性）、高さ（ＳｉｚｅＹ属性）、断裁位置情報（ＯｆｆｓｅｔＹ属性）を持つ。
【００３７】
このように、印刷後加工機の設定情報は、個々の印刷後加工機に依存しない、抽象的な情報としてＸＭＬとして保持することができる。
【００３８】
本実施例では、三方断裁の設定情報を持つＪＤＦデータを生成する過程を示すため、ＡＪＤＦのデータ構造の一例として、三方断裁に関するデータのみを持つものを示した。
その他の印刷後加工機の設定情報を持つＪＤＦデータを生成するには、さらに別の要素や属性が必要となるが、説明を省略する。また、ここで示したＡＪＤＦのデータ構造は一例に過ぎず、印刷後加工機の設定情報を表現するＸＭＬデータであれば、これに限らず別のデータ構造であってもよい。
【００３９】
＜アプリケーションの機能＞
図４は本実施例のアプリケーションが持つ機能の一覧である。
【００４０】
機能は大きく分けて、ＡＪＤＦデータを編集する機能（４０１、４０２、４０３、４０４、４０５、４０７）と、ＡＪＤＦデータをＪＤＦデータに変換する機能（４０６）で構成される。ここでは、本実施例を説明するための必要十分な機能のみを示したが、ＡＪＤＦデータに対する操作を行う機能は、他に様々なものがあってよい。それぞれの機能の詳細については、以降に具体例の中で説明する。
【００４１】
＜アプリケーションの基本動作＞
図５は本実施例のアプリケーションの基本動作を表したフローチャートである。
【００４２】
まず、ＡＪＤＦデータ入力部２０１が、印刷後加工機の設定情報を含むＸＭＬデータ（ＡＪＤＦデータ）を受け付ける（Ｓ５０１）。
【００４３】
次に、ＡＪＤＦデータ編集部２０２が、ユーザーや外部システムからの指示を受け付け、ＡＪＤＦデータを編集する（Ｓ５０２）。
【００４４】
次に、ＡＪＤＦデータ変換部２０３が、ユーザーや外部システムからの指示を受け付け、ＡＪＤＦデータをＪＤＦデータに変換する（Ｓ５０３）。
【００４５】
＜ＡＪＤＦデータの例＞
図６は（ａ）、（ｂ）ともに、図３の構造をもつ、三方断裁の設定情報を持つＡＪＤＦデータの一例である。図６（ａ）はＡＪＤＦデータの初期状態を表しており、ジョブのＩＤや三方断裁前後のサイズ情報などは入っていない。
【００４６】
まず、アプリケーションは、Ｓ５０１で、図６（ａ）のＡＪＤＦデータを受け付ける。その後、アプリケーションは、Ｓ５０２で、ＡＪＤＦデータに対して編集を行う。
【００４７】
図６（ｂ）は編集後のＡＪＤＦデータの一例として、下記の編集を図６（ａ）のＡＪＤＦデータに施した後のＡＪＤＦデータを表している。
【００４８】
ジョブＩＤ設定機能（４０１）を使って、値「１２３４５」を設定する。デバイスＩＤ設定機能（４０２）を使って、値「Ｔｒｉｍｍｅｒ００１」を設定する。三方断裁前の印刷物のサイズ設定機能（４０３）を使って、値「（６３７．７９５３，９０７．０８６６，１４．１７３２）」を設定する。三方断裁後の印刷物のサイズ設定機能（４０４）を使って、値「（５９５．２７５６，８４１．８８９８）」を設定する。三方断裁の断裁位置設定機能（４０５）を使って、値「３２．５９８４」を設定する。
【００４９】
＜ＸＳＬＴデータによるＪＤＦデータ生成の例＞
ＡＪＤＦ−ＪＤＦ変換機能４０６は、ＡＪＤＦデータとＸＳＬＴデータを入力とし、公知技術であるＸＳＬＴプロセッサを使ってＪＤＦデータを生成する機能である。
【００５０】
図７、図９は共にＡＪＤＦデータを、ＡＪＤＦ−ＪＤＦ変換機能４０６を使って、ＪＤＦデータに変換するためのＸＳＬＴデータの例である。図８は図６（ｂ）のＡＪＤＦデータを、図７のＸＳＬＴデータで変換を行った結果得られるＪＤＦデータである。図１０は図６（ｂ）のＡＪＤＦデータを、図９のＸＳＬＴデータで変換を行った結果得られるＪＤＦデータである。
【００５１】
図８のＪＤＦデータと、図１０のＪＤＦデータは、ともに図６（ｂ）のＡＪＤＦデータを元データとして生成されるが、このように、ＸＳＬＴデータを切り替えることで、内部の表現が異なる別のデータとして生成することができる。
【００５２】
例えば、ＡＪＤＦデータ上でジョブＩＤを示す値である／ＡＪＤＦ／ＤＡＴＡ／ＢＡＳＩＣ＿ＤＡＴＡ／＠ＪｏｂＵｎｉｑｕｅＩＤ属性値は、図８のＪＤＦデータでは／ＪＤＦ／＠ＪｏｂＩＤ属性に設定されている。
【００５３】
一方、図１０のＪＤＦデータでは、ジョブＩＤを示す値は／ＪＤＦ／＠ＰｒｏｊｅｃｔＩＤ属性に設定されている。また例えば、図８のＪＤＦデータでは存在していた、ＪＤＦ要素のＶｅｒｓｉｏｎ属性やＡｃｔｉｖａｔｉｏｎ属性や、／ＪＤＦ／ＲｅｓｏｕｒｃｅＰｏｏｌ／Ｄｅｖｉｃｅ要素が、図１０のＪＤＦデータでは省略されている。すなわち、ＡＪＤＦデータを同じとしながら、ＪＤＦデータの解釈が異なる個々の印刷後加工機それぞれの解釈方法に合わせたＪＤＦデータを、ＸＳＬＴデータを切り替えることで生成可能である。
【００５４】
これは例えば次のような効果が得られる。ＪＤＦの仕様では設定してもしなくてもよい（任意）とされている設定項目であっても、ある印刷後加工機Ａでは必ず設定しなければならないといった場合がある。この場合でも、ＡＪＤＦデータから印刷後加工機Ａ用のＪＤＦデータを生成するためのＸＳＬＴデータで、当該設定項目を必ず出力するように制御することができる設定内容不足のエラーを未然に防ぐことができる。
【００５５】
＜複数の印刷後加工機設定情報を含むＪＤＦデータの生成＞
ここで、本実施例のアプリケーションにおける、複数の印刷後加工機設定情報を含むＪＤＦデータの生成について説明する。
【００５６】
図１１は、一例として、丁合いとくるみ製本と三方断裁の３つの印刷後加工の設定情報を含む１つのＪＤＦデータの生成の流れを示した概念図である。まず、丁合いの設定情報を持つＡＪＤＦデータ１１０１と、くるみ製本の設定情報を持つＡＪＤＦデータ１１０２を、ＡＪＤＦデータ合成機能４０７を使って合成し、丁合いとくるみ製本の設定情報を持つＡＪＤＦデータ１１０３を生成する。
【００５７】
次に、丁合いとくるみ製本の設定情報を持つＡＪＤＦデータ１１０３と、三方断裁の設定情報を持つＡＪＤＦデータ１１０４を、ＡＪＤＦデータ合成機能４０７を使って合成し、丁合いとくるみ製本と三方断裁の設定情報を持つＡＪＤＦデータ１１０５を生成する。最後に、丁合いとくるみ製本と三方断裁の設定情報を持つＡＪＤＦデータ１１０５を、ＡＪＤＦ−ＪＤＦ変換機能４０６を使って、丁合いとくるみ製本と三方断裁の３つの設定情報を持つＪＤＦデータ１１０６を生成する。
【００５８】
このように、アプリケーションが、２つのＡＪＤＦをひとつのＡＪＤＦに合成するＡＪＤＦデータ合成機能４０７と、ＡＪＤＦ−ＪＤＦ変換機能４０６を持つことで、複数の印刷後加工機設定情報を含むＪＤＦデータを生成することができる。
【符号の説明】
【００５９】
１０１  ＣＰＵ、１０２  ＲＡＭ、１０３  ネットワークインタフェース、
１０４  外部記憶装置、１０５  ディスプレイ、１０６  キーボード、
１０７  ポインティングデバイス、２０１  ＡＪＤＦデータ入力部、
２０２  ＡＪＤＦデータ編集部、２０３  ＡＪＤＦデータ変換部、
３０１  ＡＤＪＦ要素、３０２  ＰＲＯＰＥＲＴＹ要素、３０３  ＤＡＴＡ要素、
３０４  ＢＡＳＩＣ＿ＩＮＦＯ要素、３０５  ＴＲＩＭＭＩＮＧ要素、
３０６  ＩＮＰＵＴ＿ＤＡＴＡ要素、３０７  ＯＵＴＰＵＴ＿ＤＡＴＡ要素、
４０１  ジョブＩＤ設定機能、４０２  デバイスＩＤ設定機能、
４０３  三方断裁前サイズ設定機能、４０４  三方断裁後サイズ設定機能、
４０５  三方断裁位置設定機能、４０６  ＡＪＤＦ−ＪＤＦ変換機能、
４０７  ＡＪＤＦ合成機能、１１０１  丁合い用ＡＪＤＦデータ、
１１０２  くるみ製本用ＡＪＤＦデータ、
１１０３  丁合い＋くるみ製本用ＡＪＤＦデータ、
１１０４  三方断裁用ＡＪＤＦデータ、
１１０５  丁合い＋くるみ製本+三方断裁用ＡＪＤＦデータ、
１１０６  丁合い＋くるみ製本+三方断裁用ＪＤＦデータ
【図１】
2017162127.tif 000003
【図２】
2017162127.tif 000004
【図３】
2017162127.tif 000005
【図４】
2017162127.tif 000006
【図５】
2017162127.tif 000007
【図６】
2017162127.tif 000008
【図７】
2017162127.tif 000009
【図８】
2017162127.tif 000010
【図９】
2017162127.tif 000011
【図１０】
2017162127.tif 000012
【図１１】
2017162127.tif 000013
【図１２】
2017162127.tif 000014